(57)【要約】【課題】賞球の球数が多くなっても、円滑に払い出すことができる賞球経路を提供すると共に、賞球経路からの遊技者による不正行為を困難にすることができる。【解決手段】２列以上の賞球経路２１、２２、及び、下流の賞球貯留部１３に加え、該賞球貯留部１３の内部に、前記賞球経路２１、２２の列数と同数の、階段状の貯留部内賞球経路１１、１２を設け、該貯留部内賞球経路１１、１２の階段状の段差は、少なくとも遊技球の半径分以上とする。複数の賞球経路２１、２２から払い出される賞球を、階段状とすることで、貯留部内賞球経路１１、１２で互いにぶつからないように払い出すことができる。【選択図】図４
2008237815.tif 000002
【特許請求の範囲】
【請求項１】
遊技球を使用した遊技機に用いる賞球経路装置であって、
少なくとも２列以上の賞球経路、及び、これら賞球経路の下流の賞球貯留部に加え、球抜き経路を一体構成すると共に、
前記賞球貯留部の内部に、前記賞球経路の列数と同数の、階段状の貯留部内賞球経路を設け、
該貯留部内賞球経路の階段状の段差は、少なくとも遊技球の半径分以上であることを特徴とする賞球経路装置。
【請求項２】
前記賞球経路は、本体枠に対して略平行に、遊技機正面から見て、右方向又は左方向に下る、傾斜面を形成するとともに、
前記貯留部内賞球経路は、該賞球経路とは反対方向に下る、傾斜面を形成し、且つ、貯留皿方向にも傾斜面を持つことを特徴とする請求項１に記載の賞球経路装置。
【請求項３】
前記賞球貯留部に満杯検知センサを設けるとともに、
該満杯検知センサ作動後に、少なくとも、賞球として払い出される最大の球数が、前記賞球経路、及び、前記貯留部内賞球経路含む前記賞球貯留部に、貯留可能なことを特徴とする請求項１又は請求項２に記載の賞球経路装置。
【請求項４】
前記賞球経路の下り傾斜面と、前記貯留部内賞球経路の下り傾斜面との折り返し部、乃至はこの近傍において、該貯留部内賞球経路の経路上部に、鉛直方向に袋小路となるような空間を設けたことを特徴とする請求項１乃至は請求項３のいずれか１つに記載の賞球経路装置。
【発明の詳細な説明】
【技術分野】
【０００１】
本発明は、遊技球を使用した遊技機に用いる賞球経路装置に係り、特に、賞球の球数が多くなっても、円滑に払い出すことができる賞球経路を提供すると共に、賞球経路からの遊技者による不正行為を困難にすることができる賞球経路装置に関する。
【背景技術】
【０００２】
遊技球を用いて回胴式遊技機（いわゆるスロット）と同様の遊技を行うことができる遊技機として、例えば、参考文献１に開示されているようなパロットが知られている。つまり、従来のコインに代えて遊技球を用いる回胴式遊技機である。なお、本願発明が対象とする遊技機は、遊技球を用いるものであればよく、パロットなどに限定されるものではない。なお、以下では、説明の都合上、コインを用いる回胴式遊技機をスロットと称し、遊技球を用いる回胴式遊技機をパロットと称するものとする。
【０００３】
このパロットは、受け皿に遊技球受入口及び遊技球取込口があり、払い出された遊技球や遊技球貸出し機から貸出された遊技球を、所定の操作により該遊技球取込口に投入する。そして、スタートスイッチ及びストップスイッチの操作により、回転リールを回転及び停止させる。この停止時に所定の図柄を揃えることにより、受け皿に遊技球が払い出される。
【０００４】
パロットでは、スロットの１枚の遊技メダルに対して、同等の価格価値となる球数の遊技球を用い、これを前提として遊技する。このために、例えば現在の遊技メダル及び遊技球の価格価値では、５個の遊技球を１枚の遊技メダルと同等の価値として取り扱う。例えば、スロットにおいて１ベットでは１枚の遊技メダルのところ、パロットでは５個の遊技球となり、スロットのマックス・ベットでは３枚の遊技メダルのところ、パロットでは１５個の遊技球となる。又、所定の絵柄を揃えることにより、スロットでは最大１５枚の遊技メダルが払い出されるのに対して、パロットにおいて、これと同等の最大賞球の払い出しは、７５個の遊技球の受け皿への払い出しとなる。
【０００５】
ここで、遊技機として、パロットでは、遊技者がストレスを感じることなく遊技可能な遊技性を考慮すると、上述した最大賞球の７５球の遊技球が、約１〜１．５秒の間に払い出される必要がある。又、特許文献２では、このような、１〜１．５秒の間において７５個の賞球可能な賞球装置が開示されている。
【０００６】
【特許文献１】特開２００２−１１３１４８号公報
【特許文献２】特開２００６−３３４２４８号公報
【発明の開示】
【発明が解決しようとする課題】
【０００７】
しかしながら、特許文献２では、その公報の図３に示されるように、球待機通路内に７５個の遊技球を貯留可能としているため、自ずと受け皿の遊技球受入口から賞球経路を介した賞球装置払出口までの距離は短くなってしまう。このため、受け皿の遊技球受入口から、不正行為（いわゆるゴト行為）がされ易くなってしまうという問題点があった。
【０００８】
又、賞球装置から１〜１．５秒の間で７５球払出されたとしても、経路内で遊技球同士が接触して方々に散って、スムーズに球が流れないため、受け皿に到達する頃には遊技球の勢いは落ちてしまう。従って、遊技者にとっては、大当たり時の出球の爽快感が得られないという問題点があった。
【０００９】
更に、受け皿の遊技球受入口から賞球経路を介した賞球装置払出口までの距離が短い場合、大当たりによって賞球装置から７５球払出されている途中で受け皿が一杯になったことが検出される可能性がある。この場合、結局は７５球が払出されることになり、賞球経路内に十分な遊技球貯留スペースがないと、賞球経路内で遊技球は詰まってしまい、最悪の場合賞球装置が故障してしまうという問題点もある。
【００１０】
本発明は、前記従来の問題点を解決するべくなされたもので、賞球の球数が多くなっても、円滑に払い出すことができる賞球経路を提供すると共に、賞球経路からの遊技者による不正行為を困難にすることができる賞球経路装置を提供することを課題とする。
【課題を解決するための手段】
【００１１】
本発明は、遊技球を使用した遊技機に用いる賞球経路装置であって、少なくとも２列以上の賞球経路、及び、これら賞球経路の下流の賞球貯留部に加え、球抜き経路を一体構成すると共に、前記賞球貯留部の内部に、前記賞球経路の列数と同数の、階段状の貯留部内賞球経路を設け、該貯留部内賞球経路の階段状の段差は、少なくとも遊技球の半径分以上であることにより、前記課題を解決したものである。
【００１２】
又、上記賞球経路装置において、前記賞球経路は、本体枠に対して略平行に、遊技機正面から見て、右方向又は左方向に下る、傾斜面を形成するとともに、前記貯留部内賞球経路は、該賞球経路とは反対方向に下る、傾斜面を形成し、且つ、貯留皿方向にも傾斜面を持つことにより、前記課題を解決したものである。
【００１３】
更に、前記賞球経路装置において、前記賞球貯留部に満杯検知センサを設けるとともに、該満杯検知センサ作動後に、少なくとも、賞球として払い出される最大の球数が、前記賞球経路、及び、前記貯留部内賞球経路含む前記賞球貯留部に、貯留可能なことにより、前記課題を解決したものである。
【００１４】
更には、前記賞球経路装置において、前記賞球経路の下り傾斜面と、前記貯留部内賞球経路の下り傾斜面との折り返し部、乃至はこの近傍において、該貯留部内賞球経路の経路上部に、鉛直方向に袋小路となるような空間を設けたことにより、前記課題を解決したものである。
【発明の効果】
【００１５】
本発明によれば、複数列の賞球経路を備え、又、これら賞球経路の下流には賞球貯留部を備え、更には、該賞球貯留部の内部に、前記賞球経路の列数と同数の、階段状の貯留部内賞球経路を設けているので、賞球経路内を流下してきた遊技球は、勢いを失うことなく、且つ、球同士や壁への衝突によって勢いを削がれることがなく、受け皿に払い出されることになる。このため、大当たり時の出球の爽快感を損なうこともない。
【００１６】
又、賞球装置を受け皿近傍に配置したとしても、折り返しの経路として十分な賞球経路長を確保し、且つ折り返しの経路部に袋小路部を設けてあるので、不正行為（ゴト行為）がし難い構造となっている。
【発明を実施するための最良の形態】
【００１７】
以下、図を用いて本発明の実施の形態を詳細に説明する。
【００１８】
図１は、本発明が適用された実施形態の遊技機の正面図である。
【００１９】
本実施形態は、遊技球を用いる遊技機として、パロットを一例としている。該遊技機は、図１に示すように、受け皿１６０は、遊技者が自由に遊技球を出し入れできるようになっている。該受け皿１６０に入れられた遊技球は、ベットボタン１５１を遊技者が押すことにより、球搬送装置によって遊技機内部に取り込まれる。例えば、１回押すと１５個、２回押すと３０個、３回押すと４５個というように、ｎ回押すと１５ｎ個取込まれる。
【００２０】
そして、レバー１５２を操作すると、幾つかの絵柄がそれぞれ書き込まれたリール１４５〜１４７が回転し、それぞれ絵柄が入れ替わっていく。又、これらリール１４５〜１４７それぞれに対応させて設けられている停止スイッチ１５５〜１５７を押すと、該当のリール１４５〜１４７の回転が停止し、その絵柄の入れ替わりが停止する。すべてのリール１４５〜１４７が停止すると、これら１４５〜１４７の絵柄の組み合わせ、その他に応じ、受け皿１６０には賞球の遊技球が払い出される。
【００２１】
図２は、該遊技機における本体枠１００の裏面図である。
【００２２】
図２に示すように本体枠１００には、リール１４５〜１４７を内蔵するリール装置１０１、賞球を払い出す賞球装置１０２、及び、賞球経路装置１０３が設けられている。
【００２３】
図３は、本実施形態に用いられる賞球経路装置１０３の外観斜視図である。図４は、該賞球経路装置１０３の分解図である。これら図３及び図４において、手前側が遊技者側であり、上下方向は、遊技機に取り付けられた時と同じである。
【００２４】
本実施形態の賞球経路装置１０３は、賞球貯留ベース１、賞球経路ミドルケース２、賞球経路トップケース３、満杯検知ブラケット４、満杯検知レバー５、満杯検知センサ６の、これら部品で概ね構成される。
【００２５】
そして、該賞球経路装置１０３は、上方に開口する賞球貯留ベース１の開口部と、下方に開口する賞球経路トップケース３の開口部とを、上下方向で互いに対向させ、接合し、外観が図３のように組み上げられている。このように組み上げられた賞球貯留ベース１及び賞球経路トップケース３の内部に、賞球経路ミドルケース２が収められる。
【００２６】
図３において、上部の賞球経路トップケース３の上部には、前述の賞球装置１０２において下方に開口する賞球排出口に連通する、賞球第１入口３７、賞球第２入口３８が設けられている。賞球は、賞球装置１０２の該賞球排出口から排出されて、賞球経路トップケース３の上部の、賞球第１入口３７又は賞球第２入口３８から、賞球経路装置１０３に取込まれる。そして、賞球は、賞球経路装置１０３の内部の賞球経路その他を通過して、受け皿連通口１７から受け皿１６０に排出される。
【００２７】
更に、賞球経路トップケース３には、該賞球装置１０２において下方に開口する賞球排出口に連通する、球抜き入口３９が設けられている。保守などで賞球装置１０２内の遊技球を抜く場合、賞球装置１０２の該賞球排出口から遊技球が排出されて、賞球経路トップケース３の上部の球抜き入口３９から、賞球経路装置１０３の内部に取込まれる。そして、遊技球は、賞球経路装置１０３の内部の球抜き経路２５又排出経路２８を通過して、排出経路口１８から賞球経路装置１０３外へ排出される。
【００２８】
次に、図４において、マイクロスイッチが用いられている満杯検知センサ６は、マイクロスイッチのスイッチ可動部が上側になるように、満杯検知ブラケット４に取り付けられる。又、該満杯検知ブラケット４には、図４において該満杯検知ブラケット４の後方側の回動軸に、回動自在に満杯検知レバー５が取り付けられ、該回動に伴って、該満杯検知レバー５の図４において前方側は上下動するようになっている。
【００２９】
通常は、満杯検知センサ６のマイクロスイッチのスイッチ可動部を上方へ押し上げる、該マイクロスイッチが内蔵するバネによって、満杯検知レバー５も該スイッチ可動部を介して押し上げられている。そして、賞球貯留ベース１内部の賞球貯留部１３に遊技球が満杯になると、遊技球は該満杯検知レバー５の上部にも積み上がり、該遊技球の重みで満杯検知レバー５が押し下げられ、満杯検知センサ６であるマイクロスイッチがオンになり、これにより賞球貯留部１３における遊技球の満杯が検知されることになる。
【００３０】
次に、図５は、本実施形態の賞球経路装置１０３に用いられる賞球貯留ベース１の上面図である。図６は該賞球経路装置１０３に用いられる賞球経路ミドルケース２の上面図、図７は賞球経路トップケース３の下面図である。
【００３１】
図５及び図６において下側、又図７において上側が、遊技者側である。又、これら図５〜図７において、左右方向は、賞球経路装置１０３を遊技機に取り付けた状態で、遊技者側から見た時と同じである。
【００３２】
又、図８は、図５におけるＺ−Ｚ断面の、賞球貯留ベース１及び賞球経路ミドルケース２及び賞球経路トップケース３を組み上げた、賞球経路装置１０３の断面図である。図９は、図５におけるＹ−Ｙ断面の、同組み上げの賞球経路装置１０３の断面図である。
【００３３】
図８において手前側、図９において左側が遊技者側である。又、これら図８及び図９における上下方向は、賞球経路装置１０３を遊技機に取り付けた状態で、遊技者側から見た時と同じである。
【００３４】
まず、賞球貯留ベース１について説明すると、賞球貯留ベース１には、図５において右上から左上に至った後に、左下に至る、「Ｊ字型」の経路の、貯留部内第１経路１１及び貯留部内第２経路１２が形成されている。これら貯留部内第１経路１１及び貯留部内第２経路１２は、図５において右上から左上までは、図８の傾斜方向１１２（下り傾斜）に傾斜し、そして、図５において左上から左下までは、図９の傾斜方向１１３（下り傾斜）に傾斜する。
【００３５】
なお、賞球貯留ベース１のこれら貯留部内第１経路１１及び貯留部内第２経路１２の傾斜方向１１２は、後述する賞球経路ミドルケース２の賞球第１経路２１及び賞球第２経路２２の傾斜方向１１１とは、反対方向である。つまり、賞球経路装置１０３が遊技機に取り付けられた状態で、遊技者側から見ると、賞球経路ミドルケース２の賞球第１経路２１及び賞球第２経路２２では、遊技球は、右方向の傾斜方向１１１に転がった後、賞球貯留ベース１の貯留部内第１経路１１及び貯留部内第２経路１２では、該方向とは反対の、つまり、左方向の傾斜方向１１２に転がることになる。
【００３６】
又、賞球貯留ベース１において、貯留部内賞球第１経路１１と貯留部内賞球第２経路１２は、少なくとも遊技球の半径（５．５ｍｍ）以上の段差持っており、なめらかな曲線を持って受け皿連通口１７方向へそれぞれ伸びている。更に、貯留部内賞球第１経路１１、貯留部内賞球第２経路１２に隣接するように、賞球貯留部１３が設けられている。これら、貯留部内第１経路１１、貯留部内第２経路１２、そして賞球貯留部１３は、受け皿連通口１７へ向かう傾斜方向１１３に傾斜している。又、該賞球貯留部１３は、受け皿連通口１７から本体枠１００を介して、受け皿１６０へと連通している。
【００３７】
更に、前述したように、賞球貯留ベース１の賞球貯留部１３において、傾斜方向１１３で下っている部分の、貯留部内賞球第１経路１１及び貯留部内賞球第２経路１２とは反対の、遊技者から見て右側に、前述の満杯検知ブラケット４及び満杯検知センサ６と一体になった満杯検知レバー５が配置されている。貯留部内第１経路１１及び貯留部内第２経路１２を転がってきた遊技球は、賞球貯留部１３には、遊技者側から見て左側から侵入する。そして、該侵入とは反対の右側に、満杯検知センサ６が設けられているので、該侵入の遊技球の勢いなどによる、該満杯検知センサ６の満杯の誤検知を抑えることができる。
【００３８】
次に、賞球経路ミドルケース２について説明すると、該賞球経路ミドルケース２には、本体枠１００に対して略平行に、前述のように傾斜方向１１１で下る、賞球第１経路２１、賞球第２経路２２が形成されており、それぞれ、前述の賞球貯留ベース１の貯留部内賞球第１経路１１、貯留部内賞球第２経路１２になめらかな曲線を持って連通している。
【００３９】
又、賞球経路ミドルケース２の球抜き経路２５は、賞球第１経路２１、賞球第２経路２２とは略直角で本体枠１００方向へ伸び、そして滑らかな曲線を持って本体枠１００に対して平行に、遊技者側から見て右側へと形成され、更に、略鉛直方向に形成された排出経路２８と連通している。そして排出経路２８は、賞球貯留ベース１に形成された排出経路口１８より賞球経路ユニット１０３外へと伸びている。
【００４０】
なお、賞球経路ミドルケース２は、貯留部内賞球第１経路１１及び貯留部内賞球第２経路１２を含む賞球貯留部１３の天井部を兼ねており、賞球貯留ベース１と外形部を嵌め合わせる構造となっている。
【００４１】
次に、賞球経路トップケース３について説明すると、まず、賞球経路トップケース３には、賞球装置１０２の賞球排出口、球抜き排出口のそれぞれの連通する位置に、賞球第１入口３７、賞球第２入口３８、球抜き入口３９が設けられている。
【００４２】
賞球経路トップケース３が、賞球貯留ベース１及び賞球経路ミドルケース２と組み上がった状態では、賞球第１入口３７及び賞球第２入口３８の直下は、賞球経路ミドルケース２に形成された賞球第１経路２１及び賞球第２経路２２の、図６において左端の位置となる。又、球抜き入口３９の直下は、同賞球経路ミドルケース２に形成された球抜き経路２５の、図６において左上端の位置となる。
【００４３】
又、賞球経路トップケース３には、これら賞球第１経路２１、賞球第２経路２２、及び球抜き経路２５の、それぞれの経路の高さ方向を規制する賞球第１経路リブ３１、賞球第２経路リブ３２、球抜き経路リブ３５が形成されている。
【００４４】
更に、賞球経路トップケース３において、賞球第１経路２１と貯留部内第１経路１１との連通部、又、賞球第２経路２２と貯留部内第２経路１２との連通部の略鉛直方向には、壁で仕切られた袋小路部５９が設けられている。図８に示されるように、賞球経路装置１０３が遊技機に取り付けられた状態で、賞球第１入口３７及び賞球第２入口３８から取込まれた遊技球は、賞球第１経路２１及び賞球第２経路２２を傾斜方向１１１に転がった後、上記の連通部で折り返し、貯留部内第１経路１１及び貯留部内第２経路１２を今度は反対の傾斜方向１１２に転がる。
【００４５】
このような賞球経路トップケース３は、当該賞球経路トップケース３に形成された位置決めボス５５と、賞球経路ミドルケース２に形成された位置決め穴５４とが嵌め合わさることで、賞球経路ミドルケース２に対して位置決めされる。更に、賞球トップケース３と賞球貯留ベース１とがねじにより固定され、賞球経路ミドルケース２が挟まれる形で組み上げられ、賞球経路ユニット１０３が構成される。
【００４６】
更に、このように組まれた賞球経路ユニット１０３は、賞球貯留ベース１に形成された位置決めボス５１、及び賞球経路トップケース３に形成された位置決めボス５２によって、本体枠１００に位置決めされ、ねじによって固定され、取り付けられる。
【００４７】
ここで、図１０は、本実施形態における貯留部内第１経路１１及び貯留部内第２経路１２の断面図である。
【００４８】
この図１０は、前述した図９の断面図の、貯留部内第１経路１１及び貯留部内第２経路１２の周辺を拡大したものである。遊技球１７１は貯留部内第１経路１１を、遊技球１７２は貯留部内第２経路１２を、図１０においてこちら側から向こう側へと、それぞれにおける下りの傾斜方向１１２に従って、並行して転がっていく。
【００４９】
まず、賞球経路ミドルケース２の賞球第１経路２１及び賞球第２経路２２からそれぞれ流れ込んだ遊技球１７１及び遊技球１７２は、それまでの転がる勢いによって経路から外れないように、それぞれ貯留部内第１経路１１や貯留部内第２経路１２の直線部分を転がる。
【００５０】
又、図５に示すように、賞球貯留ベース１を上から見ると、貯留部内第１経路１１及び貯留部内第２経路１２は、「Ｊ字型」に曲がっているので、この湾曲部においては、図１０において、遊技球１７１は通路壁面１８１に向く方向に、又遊技球１７２は段差壁面１８６に向く方向に、遠心力が作用する。このような遠心力によって、遊技球１７１は貯留部内第１経路１１に、遊技球１７２は貯留部内第２経路１２に従って転がり易くなる。
【００５１】
ここで、このように並行して転がる遊技球１７１及び遊技球１７２は、階段状の段差Ｌ１が、少なくとも遊技球の半径分以上とされる。これにより並行する遊技球１７１及び遊技球１７２は、互いに衝突したり干渉したりせず、その勢いを保持して転がることができる。
【００５２】
又、貯留部内第１経路１１の幅Ｌ２や、貯留部内第２経路１２の幅Ｌ３は、遊技球の直径分以上とされることで、遊技球１７１は貯留部内第１経路１１に、遊技球１７２は貯留部内第２経路１２に従って転がり易くなる。
【００５３】
以下、本実施形態の作用について説明すると、まず、貸し球、もしくは所定の絵柄を揃えることで得られる賞球が、賞球装置１０２から払い出されると、賞球入口３７、３８より入り、賞球経路２１、２２を通り、貯留部内賞球経路１１、１２を経て、受け皿１６０に達する。賞球経路２１、２２から貯留部内賞球経路１１、１２を流下する遊技球は、進行方向に対して経路は絶えず下りの傾斜面で形成されており、更に、なめらかな曲線により経路が形成されているために、流下の勢いを失うことはない。
【００５４】
又、経路内を流下中の遊技球は、受け皿１６０の近傍まで段差によって、貯留部内賞球第１経路１１、及び貯留部内賞球第２経路１２が完全に離間されているため、経路内の遊技球同士の衝突により、流下の勢いを削がれることがない。
【００５５】
更に、賞球経路２１、２２が遊技機枠体１００に略平行に形成されているため、受け皿１６０の近傍に賞球装置１０２が設置されていたとしても、ある程度の長さの賞球経路２１、２２は確保され、一時的には遊技球の貯留部としても使用可能である。又、賞球経路２１、２２は、折り返しの経路となっており、更に、折り返しの先には、袋小路部５９を設けているので、不正行為（ゴト行為）はし難い構造となっている。
【００５６】
又、貯留部内経路１１、１２は、賞球貯留部１３側からは階段状の段差となっており、且つ、受け皿連通口１７に向かって傾斜しているので、一時的に遊技球の貯留部としても使用可能である。更に、前述の通り、賞球経路２１、２２も、一時的に遊技球の貯留部として使用可能である。従って、賞球貯留部１３に、このような一時的な遊技球の貯留部を含めると、仮に大当たりによって賞球装置１０２から７５球の賞球払出されている途中で、受け皿１６０が一杯になったことが、満杯検知センサ６により検出されたとしても、７５球以上の貯球が十分可能な構成となっている。従って、賞球経路２１、２２内で遊技球が詰まり、賞球装置１０２が故障してしまうということはない。
【００５７】
更に、本実施形態の賞球経路装置１０３では、賞球装置１０２から球抜きされると、球抜き入口３９、球抜き経路２５、排出経路２８を経て、いわゆる島設備へと返却することができる。
【００５８】
以上説明したように、本実施形態によれば、遊技球が賞球装置から払出された際に、貯留部内賞球経路を受け皿連通口１７付近まで傾斜面で形成し、且つ、第１経路と第２経路を段差によって分離しているので、賞球経路内を流下してきた遊技球は、勢いを失うことなく、且つ球同士や壁への衝突によって勢いを削がれることがなく受け皿に払い出されることになる。従って、大当たり時の出球の爽快感を損なうこともない。
【００５９】
又、賞球装置を受け皿１６０近傍に配置したとしても、折り返しの経路として十分な賞球経路長を確保し、且つ折り返しの経路部に袋小路部を設けてあるので、不正行為（ゴト行為）がし難い構造となっている。
【００６０】
更に、受け皿１６０の満杯検知後に、賞球貯留部、貯留部内賞球経路、賞球経路内には、７５球以上の十分な数の遊技球が貯留可能な構造なので、球詰まりや、賞球装置の故障といったトラブルを招くことはない。
【００６１】
なお、以上説明した実施形態では、賞球第１経路２１及び賞球第２経路２２というように賞球経路が２列であって、階段状の貯留部内第１経路１１及び貯留部内第２経路１２も、同数の２列の貯留部内賞球経路とされている。しかしながら、本発明は、このようなものに限定されるものではなく、賞球経路や貯留部内賞球経路は、３列以上であってもよい。
【図面の簡単な説明】
【００６２】
【図１】本発明が適用された実施形態の遊技機の正面図
【図２】上記実施形態の遊技機における本体枠の裏面図
【図３】前記実施形態に用いられる賞球経路装置の外観斜視図
【図４】前記実施形態の賞球経路装置の分解図
【図５】前記実施形態の賞球経路装置に用いられる賞球貯留ベースの上面図
【図６】前記実施形態の賞球経路装置に用いられる賞球経路ミドルケースの上面図
【図７】前記実施形態の賞球経路装置に用いられる賞球経路トップケースの下面図
【図８】図５におけるＺ−Ｚ断面の、賞球貯留ベース及び賞球経路ミドルケース及び賞球経路トップケースを組み上げた賞球経路装置の断面図
【図９】図５におけるＹ−Ｙ断面の、上記組み上げの賞球経路装置の断面図
【図１０】本実施形態における貯留部内第１経路及び貯留部内第２経路の断面図
【符号の説明】
【００６３】
１…賞球貯留ベース
２…賞球経路ミドルケース
３…賞球経路トップケース
４…満杯検知ブラケット
５…満杯検知レバー
６…満杯検知センサ
１１…貯留部内第１経路
１２…貯留部内第２経路
１３…賞球貯留部
１７…受け皿連通口
１８…排出経路口
２１…賞球第１経路
２２…賞球第２経路
２５…球抜き経路
２８…排出経路
３１…賞球第１経路リブ
３２…賞球第２経路リブ
３５…球抜き経路リブ
３７…賞球第１入口
３８…賞球第２入口
３９…球抜き入口
５１、５２、５５…位置決めボス
５４…位置決め穴
１００…本体枠
１０１…リール装置
１０２…賞球装置
１０３…賞球経路装置
１４５〜１４７…リール
１５１…ベットボタン
１５２…レバー
１５５〜１５７…停止スイッチ
１６０…受け皿
【図１】
2008237815.tif 000003
【図２】
2008237815.tif 000004
【図３】
2008237815.tif 000005
【図４】
2008237815.tif 000006
【図５】
2008237815.tif 000007
【図６】
2008237815.tif 000008
【図７】
2008237815.tif 000009
【図８】
2008237815.tif 000010
【図９】
2008237815.tif 000011
【図１０】
2008237815.tif 000012
【手続補正書】
【提出日】平成19年5月2日(2007.5.2)
【手続補正１】
【補正対象書類名】明細書
【補正対象項目名】００１９
【補正方法】変更
【補正の内容】
【００１９】
本実施形態は、遊技球を用いる遊技機として、パロットを一例としている。該遊技機は
、図１に示すように、受け皿１６０は、遊技者が自由に遊技球を出し入れできるようになっている。該受け皿１６０に入れられた遊技球は、ベットボタン１５１を遊技者が押すことにより、球搬送装置によって遊技機内部に取り込まれる。